(57)【要約】【課題】  低コストで見栄えを低下させることなく排水処理量を増加させることのできる雨樋装置を提供することを目的とする。【解決手段】  軒先に軒樋１が配設されており、この軒樋１の底壁１１に排水ドレン２が設けられ、この排水ドレン２には下方に竪樋５がエルボ３１を介して接続され、竪樋５の下端部が地中に埋設された排水管７に接続されている雨樋装置において、排水管カバー６内には竪樋５の下端部５１から排水される雨水を受水する有底筒体６０が配設され、有底筒体６０内には竪樋５の下端部５１が有底筒体６０の開口水平面ｓより下方に挿入されている。【選択図】      図１  
2005330666.tif 000002
【特許請求の範囲】
【請求項１】
軒先に軒樋が配設されており、該軒樋の底壁部に排水ドレンが設けられ、この排水ドレンには下方に竪樋がエルボを介して接続され、竪樋の下端部が地中に埋設された排水管に排水管カバーを介して接続されている雨樋装置において、排水管カバー内には竪樋の下端部から排水される雨水を受水する有底筒体が配設され、有底筒体内には竪樋の下端部が有底筒体の開口水平面より下方に挿入されていることを特徴とする雨樋装置。
【発明の詳細な説明】
【技術分野】
【０００１】
本発明は、雨水が貯留可能な雨樋装置及びそれに用いる軒樋に関する。
【背景技術】
【０００２】
従来、屋根の軒先から流れ落ちる雨水を軒樋で受け下方に排水する雨樋装置として、例えば、図３に示すように家屋の屋根の軒先に取付けられた軒樋ａに呼び樋ｂや竪樋ｃを竪樋継手ｄによって接続し、外壁ｅに沿って垂下させて地中に埋設された排水管ｆに接続しているのが一般的である。
【０００３】
ところで、上記雨樋装置において、軒樋ａで処理できる水の流量を増やすには、軒樋ａ自体の断面寸法を大きくしたり、呼び樋ｂや竪樋ｃの口径の拡大、本数の増加を図る必要がある。しかし、これらは、コストの上昇、見栄えの低下といった問題がある。
【０００４】
そこで、口径の拡大や本数を増やすことがなく排水処理量を増加させる雨樋装置として、特許文献１〜２に記載されているようなサイホン式排水システムが提案されている。
即ち、特許文献１には、軒樋の底面に、軒樋よりも小さくかつ竪樋よりも大きな断面寸法を有した凹部状の落し口を設け、この落し口の底面に竪樋を接続したサイホン式排水システムによる雨樋装置が記載されている。
また、特許文献２には、樋状体に設けられた落とし口の上方に、二枚の平行な平板を互いに間隔をおいて配設した屋根取水口が記載されている。
【特許文献１】特開平９−１１１９７２号公報（図１）
【特許文献２】特表平８−５０６３９６号公報（Ｆｉｇ１）
【発明の開示】
【発明が解決しようとする課題】
【０００５】
しかしながら、上記特許文献１〜２に記載された排水方式は、いずれもサイホン式排水システムの構造によるものであるが、特許文献１に記載された雨樋装置にあっては、凹部状の落し口としては大きな深さを有したものでないと効果が期待できない。軒樋の底面に大きな深さを有した凹部状の落し口を設けると、軒樋を下方から見ると大きな落とし口が見えて外観上見栄えがよくない。
また、特許文献２に記載された雨樋装置においては、平板に落ち葉等の塵が引っ掛かり落とし口にゴミ詰まりを発生し易く、塵の除去が煩瑣である。更にまた、落とし口の排水構造が複雑でコストが上昇するという問題点がある。
【０００６】
本発明は、このような事情に鑑みて、低コストで見栄えを低下させることなく排水処理量を増加させることのできる雨樋装置を提供することを目的としている。
【課題を解決するための手段】
【０００７】
このような目的を達成するために、請求項１に記載の発明に係わる雨樋装置（以下、「請求項１の雨樋装置」と記す）は、軒先に軒樋が配設されており、該軒樋の底壁部に排水ドレンが設けられ、この排水ドレンには下方に竪樋がエルボを介して接続され、竪樋の下端部が地中に埋設された排水管に排水管カバーを介して接続されている雨樋装置において、排水管カバー内には竪樋の下端部から排水される雨水を受水する有底筒体が配設され、有底筒体内には竪樋の下端部が有底筒体の開口水平面より下方に挿入されていることを特徴としている。
【発明の効果】
【０００８】
本発明の雨樋装置によれば、軒先に軒樋が配設されており、該軒樋の底壁部に排水ドレンが設けられ、この排水ドレンには下方に呼び樋と竪樋がエルボを介してこの順に接続され、竪樋の下端部が地中に埋設された排水管に排水管カバーを介して接続されている雨樋装置において、排水管カバー内には竪樋の下端部から排水される雨水を受水する有底筒体が配設され、有底筒体内には竪樋の下端部が有底筒体の開口水平面より下方に挿入されているので、排水ドレンから排水されて竪樋に流れ込んた雨水は、有底筒体内を満水にすることになる。そのため、竪樋の下端部は満水状態の有底筒体により水封されることになるから、雨水は、竪樋内でサイホン現象をおこして排水管側に排水され、排水処理量を増加させることができる。
【発明を実施するための最良の形態】
【０００９】
次に、本発明の実施の形態の一例を、図に基づいて説明する。  
【００１０】
図１において、本発明の雨樋装置は、家屋の屋根の軒先に軒樋１が取付けられ、この軒樋１の底壁１１に排水ドレン２が設けられ、排水ドレン２には下方にエルボ３を介して呼び樋４の一端が接続され、呼び樋４の他端にエルボ３１を介して竪樋５が接続され、竪樋５の下端が排水管カバー６を介して地中に埋設された排水管７に接続され、この排水管カバー内には竪樋１の下端部から排水される雨水を受水する有底筒体６０が配設され、有底筒体６０内には竪樋１の下端部が有底筒体６０の開口水平面より下方に挿入され、屋根９の軒先から流下した雨水を有底筒体６０で受けて上側に溢流させて排水管７側に排水するようになされている。
【００１１】
軒樋１は、押出成形品であり、本体部が平坦な底壁１１の前側部から前側壁１２が立設され、かつ底壁１１の後側部から後側壁１３が立設された溝形断面に形成されており、軒樋１同士が長手方向（図面と直交する方向）に端部を互いに突き合わせた状態で軒樋継手（図示しない）を介して配設され、鼻隠し板９０に取付けられた雨樋吊具８により吊設されて、屋根９の軒先から流下した雨水を受けるようになっている。
【００１２】
排水ドレン２は、図２に示すように、取付け鍔板２１の上方に網体２０が突出して形成され、取付け基板２１の下方に落とし口２２が垂下して設けれており、この落とし口２２が軒樋１の底壁１１に穿口された貫通口１１ａから突設して、下方のエルボ３に回動自在に接続して取付けられるようになっている。
【００１３】
呼び樋４は、軒樋１に設けられた排水ドレン２から流下した雨水を水平に導水するもので、一端側がエルボ３に接続され、他端側がエルボ３１に接続されるようになっている。
【００１４】
竪樋５は呼び樋４から流水される雨水を下方に導水するもので、上端部がエルボ３１に接続され、外壁９１に沿って垂下させて下端部が排水管カバー６内の有底筒体６０内に挿入されている。
【００１５】
排水管カバー６は、円筒部６１とこの円筒部６１の上端部の開口を塞ぐ環状キャップ６２とからなり、円筒部６１の下端部は排水管７の上端外周に係合される段差部６３が形成されている。尚、円筒部６１の内周面には環状突起６４が形成されており、環状キャップ３は竪樋５が挿通可能の開口部６２ａが同心状に開口されている。
【００１６】
有底筒体８は、上方が開口した短円筒状の溜まり部６０ａが形成されたもので、その内径は竪樋５の外径より大径とされており、上部開口縁に支持腕６５が外方に突出して形成されている。
【００１７】
上記の軒樋１と竪樋５及び排水管カバー６を使用して雨樋装置を組み立てるには、先ず、軒樋１の底壁１１に排水ドレン２を取り付ける位置に貫通口１１ａを開口する。続いて、軒樋１の貫通口１１ａから排水ドレン２の落とし口２２を挿入して下方に突出させ、下方に突出した落とし口１１に接続部材で螺合し、排水ドレン２の取付鍔部２３と接続部材２３の鍔片２４とで、軒樋１の貫通口１１ａの周縁をパッキン等を介在させて挟着固定する。
【００１８】
次に、軒先の鼻隠し板９０に雨樋吊具８の取付部８１をネジ等の固定具により取付けてから、軒樋吊具８の前耳保持部８２に軒樋１の前耳１４を係止させ、後耳保持部８３に軒樋１の後耳１５を挿入して係止させる。
【００１９】
続いて、軒樋１を軒樋継手（図示しない）で接続してから、排水ドレン２の落とし口２２にエルボ３を取付け、このエルボ３に呼び樋４を接続し、エルボ３１を介して竪樋５を接続する。このとき、予め竪樋５は下端部５１に環状キャップ６２が挿着されており、また、排水管カバー６は段差部６３が排水管７の上端外周に係合して接続され、排水管カバー６内には有底筒体６０の支持腕６５が環状突起６４に係止させた状態で有底筒体６０が載置された状態にしておく。竪樋５の下端部５１が有底筒体６０の開口水平面ｓより下方に挿入されている。
【００２０】
屋根に降った雨は軒樋１に設けられた排水ドレン２から呼び樋４を流れて竪樋５に流下する。竪樋５の下端部５１が有底筒体６０の開口水平面ｓより下方に挿入されているため、呼び樋４から竪樋５に流れ込んた雨水は、有底筒体６０の溜まり部６０ａを満水にして開口水平面ｓより溢れ出て下方の排水管７に流下する。このとき、竪樋５の下端部５１は満水状態の溜まり部６０ａにより水封されることになるから、竪樋４の中を満水状態にして流下することになり、落とし口２２と呼び樋４及び竪樋５内でサイホン現象をおこして、竪樋５から排水管７側に勢いよく排水されることになる。
【００２１】
以上、本発明実施例を図面に基づいて説明してきたが、具体的な構成はこの実施例に限られるものではなく本発明の要旨を逸脱しない範囲の設計変更等があっても本発明に含まれる。例えば、呼び樋４を水平に配設したが、斜め下向きに傾斜させてもよい。
【図面の簡単な説明】
【００２２】
【図１】本発明の雨樋装置を説明する側面図である。
【図２】同上雨樋装置の軒樋に排水ドレンが取付けられた状態を説明する一部切り欠き断面図である。
【図３】従来例を説明する側面図である。
【符号の説明】
【００２３】
１            軒樋
２            排水ドレン
４            呼び樋
５            竪樋
５１          下端部
６            排水管カバー
７            排水管
８            有底筒体
【図１】
2005330666.tif 000003
【図２】
2005330666.tif 000004
【図３】
2005330666.tif 000005